(57)【特許請求の範囲】
【請求項１】
少なくとも１つの第１のハウジング開口及び１つの第２のハウジング開口を有し、前記第１のハウジング開口は第１のハウジングカバーによって閉鎖され得るとともに前記第２のハウジング開口は第２のハウジングカバーによって閉鎖され得る、コンピュータシステムのためのハウジングであって、
スイッチ接点を有するスイッチ要素が設けられ、前記スイッチ要素は、前記第１のハウジングカバーを開くとき及び前記第２のハウジングカバーを開くときの両方で、前記スイッチ接点が、前記ハウジングが開かれたことを示すように動作されるような方法で、配置され、
前記スイッチ要素のスイッチハウジングは、前記スイッチ接点と前記スイッチハウジングとの間の相対運動が、前記第１のハウジングカバーが開放する及び前記第２のハウジングカバーが開放するときの両方で生じるように、前記スイッチ接点に作用する前記第１のハウジングカバーの一部及び前記スイッチハウジングに作用する前記第２のハウジングカバーの一部を動かすことができるように、取り付けられ、
前記スイッチハウジングは、前記ハウジングのハウジング壁に対して回転軸によって動かされることができる、
コンピュータシステムのためのハウジング。
【請求項２】
前記スイッチハウジングは、前記第１及び前記第２のハウジング開口の間の領域のロッカーに回転可能に取り付けられる、
請求項１に記載のハウジング。
【請求項３】
スプリング要素が前記ロッカーに作用し、前記スプリング要素は前記第２のハウジングカバーの方向に力を加える、
請求項２に記載のハウジング。
【請求項４】
前記第１のハウジングカバーは、前記ハウジングの前面に配置され、前記前面からアクセス可能な１つ又は複数のドライブ又は同等のものを閉じるためのフラップである、
請求項１に記載のハウジング。
【請求項５】
前記第２のハウジングカバーは、前記コンピュータシステムの内部構成要素へのアクセスを閉ざすための前記ハウジングの取外し可能な側壁を形成する、
請求項１に記載のハウジング。
【請求項６】
監視されることになる少なくとも１つのコンピュータであって、前記少なくとも１つのコンピュータは請求項１乃至５のいずれか１項に記載のハウジングに配置される、少なくとも１つのコンピュータ、及び制御信号を提供するように前記スイッチ要素に接続されるとともに前記制御信号に基づいて、２つの前記ハウジングカバーの少なくとも１つが開かれたかどうかを示すように設計される、少なくとも１つの監視装置、を有する、
装置。
【請求項７】
前記監視装置は、システム監視モジュールを有する、
請求項６に記載の装置。
【発明の詳細な説明】
【技術分野】
【０００１】
本発明は、コンピュータシステム用ハウジングに関し、少なくとも１つの第１の及び１つの第２のハウジング開口を有し、第１のハウジング開口は第１のハウジングカバーによって閉鎖され得るとともに第２のハウジング開口は第２のハウジングカバーによって閉鎖され得る。本発明はさらに、監視されることになる少なくとも１つのコンピュータ及び少なくとも１つの監視装置を有する装置におけるこのようなハウジングの使用に関する。
【背景技術】
【０００２】
少なくとも第１及び第２のハウジング開口を有するコンピュータシステムのためのハウジングは広く知られている。例えば、特許文献１は、錠、第１のロック機構及び第２のロック機構を有する電子装置用ハウジングを開示する。ロック機構は、異なるハウジング要素に錠を掛ける又は開錠するように設計されるとともに確実に連結され、それらは錠と相互作用する。
【０００３】
このようなハウジングは、例えば、サーバーコンピュータとして知られるようなもののために使用される。このサーバーコンピュータは、例えば、プロセッサ及びストレージドライブ等、複数の高性能な構成要素を有する。多数の構成要素の柔軟な配置を可能にするために、知られているような、比較的大きい体積のタワーハウジングがこの目的のために使用される。ハウジングに配置された個々の構成要素へのアクセスは、比較的まれにしか必要とされない。したがって、これらは現在、フラップ壁又はハウジング壁の形態のハウジングカバーの後ろに配置される。
【０００４】
特に、高品質コンピュータハウジングは、ハウジングが正しく閉じられているかどうかについて監視することを可能にする。この目的のために、ハウジングの開放のための開閉接点が、一般的に設けられ、この開閉接点はハウジングカバーの状態を記録する。
【先行技術文献】
【特許文献】
【０００５】
【特許文献１】独国特許出願第１０２００９０１９５１７号
【発明の概要】
【発明が解決しようとする課題】
【０００６】
本発明の目的は、少なくとも２つの閉鎖可能なハウジング開口を有するコンピュータシステムのための特に単純に構成されたハウジングを記載することである。さらに、構成要素に対する僅かな費用で複数のハウジングカバーの開放状態を監視するための可能な方法を記載することを目的とする。
【課題を解決するための手段】
【０００７】
上述の目的は、とりわけ、請求項１によるハウジング及び請求項７によるハウジングの使用によって達成される。
【０００８】
本発明の第１の態様によれば、少なくとも１つの第１及び第２のハウジング開口を有するコンピュータシステムのためのハウジングが記載され、第１のハウジング開口は第１のハウジングカバーによって閉鎖され得るとともに第２のハウジング開口は第２のハウジングカバーによって閉鎖され得る。ハウジングは、スイッチ接点を有するスイッチ要素が設けられることを特徴とし、スイッチ要素は、第１のハウジングカバーを開くとき及び第２のハウジングカバーを開くときの両方で、スイッチ接点が、コンピュータハウジングが開かれたことを示すように動作されるような方法で配置される。２つの異なるハウジングカバーの開放を監視するために１つのスイッチ要素を使用する結果として、監視するための必要なスイッチ要素の数は減らされ得る。
【０００９】
有利な改良によれば、スイッチ要素のスイッチハウジングが、スイッチ接点とスイッチハウジングとの間の相対運動が、第１のハウジングカバーの開放の結果として及び第２のハウジングカバーの開放の結果として両方生じるように、スイッチ接点に作用する第１のハウジングカバーの一部及びスイッチハウジングに作用する第２のハウジングカバーの一部を動かすことができるように、取り付けられる。
【００１０】
更なる有利な改良によれば、スイッチハウジングは、第１及び第２ハウジング開口の間の領域のロッカーに回転可能に取り付けられる。この種の配置は、共通のスイッチ接点を動作させるための第１のハウジングカバーの動き及び第２のハウジングカバーの動きの単純な機械的な伝達を可能にする。
【００１１】
この種のハウジングは、ハウジングに配置される、監視されることになる少なくとも１つのコンピュータ、及び制御信号を提供するようにスイッチ要素に接続されるとともに制御信号に基づいて、２つのハウジングカバーの少なくとも１つが開かれたかどうかを示すように設計される、少なくとも１つの監視装置を有する装置における使用に特に適している。この種の装置では、１つの制御信号は、コンピュータ又は後者のハウジングカバーの開放状態を監視するのに十分である。これは特に、複数の異なるコンピュータを監視するときに有利である。
【００１２】
さらなる有利な改良は、従属請求項及び例示的な実施形態の以下の詳細な説明に記載される
例示的な実施形態は、図１乃至５を参照してより詳細に記載されるであろう。
【図面の簡単な説明】
【００１３】
【図１】図１は、ハウジングの外部斜視図を示す。
【図２】図２は、ハウジングの内部斜視図を示す。
【図３】図３は、第１の状態におけるスイッチ要素を示す。
【図４】図４は、第２の状態におけるスイッチ要素を示す。
【図５】図５は、第３の状態におけるスイッチ要素を示す。
【発明を実施するための形態】
【００１４】
図１は、サーバーコンピュータのためのハウジング１の前面の図を示す。この例示的な実施形態では、ハウジング１は、例えば、タワーハウジングとして知られるものである。例示的な実施形態では、ハウジング１は、前面２及び取外し可能な側壁３を有する。
【００１５】
前面２は、下方領域４及び上方領域５を有する。下方領域４は、例えば、冷却用空気を取り入れる又は吹き出すための換気孔を持つハウジングカバーを有する。例示的な実施形態の上方領域５は、フラップ６を有する。このフラップ６の後ろには、図１では見ることができない、例えば、ハードドライブ、ＣＤ又はＤＶＤドライブ等、複数のストレージドライブが配置される。任意選択で、ドライブは、取外し可能であるとともにフラップ６によって保護されるように構成される。例示的な実施形態では、フラップ６は、ロック７によって閉鎖され得る。側壁３は、ハンドル要素８によってロック解除されることができ、次にハウジング１から外すことができる。側壁３が外された後、サーバーコンピュータの内部構成部品、例えば中に配置された換気モジュール、メモリーモジュール、プロセッサ又は電源ユニット等へのアクセスが得られ得る。１つの構成では、ロック７は、追加的にハンドル要素８に作用するとともにハンドル要素をロックする。
【００１６】
図２では、前面２及び側壁３の方に向けられたハウジング１の内部の図が示される。その中に見えるのは、特に閉鎖要素９である。この閉鎖要素９は、ロック７に連結されるとともにフラップ６及び側壁３をロックする。フラップ６と側壁３との間のハウジング端部の領域に、スイッチ要素１０が配置されることが、追加的に見ることができる。スイッチ要素１０は、ハウジング１のハウジング開口の開放状態を監視するために使用され、図３乃至５を参照して以下により詳細に記載される。
【００１７】
図３は、第１の状態におけるスイッチ要素１０を示す。第１の状態では、ハウジング１のフラップ６及び側壁３の両方が閉じられている。
【００１８】
図３は、側壁３及びフラップ６の両方がそれぞれスイッチ突起１１及び１２を有することを示す。特に、フラップ６のスイッチ突起１２は、ハウジング壁１４の開口１３を通ってスイッチ接点１５、例えば第１の状態において押し込まれるマイクロスイッチを作動させるためのスイッチレバーを押す。側壁３のスイッチ突起１１は、ロッカー１６の止め具に作用する。このロッカー１６に、スイッチ要素１０のスイッチハウジング１７が取り付けられる。ロッカー１６は、回転軸１８によってハウジング壁１４に対して回転可能に取り付けられる。図３に示された例示的な実施形態では、ロッカー１６とハウジング壁１４との間には、スプリング１９が配置される。このスプリング１９は、ロッカー１６に力を加え、これによってロッカー１６はハウジング壁１４から離れるように押される。
【００１９】
図４は、第２の状態におけるスイッチ要素１０を示す。第２の状態では、それによってコンピュータシステムのドライブがカバーされるフラップ６が開かれている。
【００２０】
図示された状態では、スイッチ要素１０は、例えば、スイッチ接点１５のレバーがハウジング壁１４の開口１３を通って前方に向かって出てくるという事実の結果として、スイッチを切り替える。使用されるスイッチ要素が、例えば、スイッチ接点１５が押し込まれたとき回路を形成する、常時開接点として知られるものである場合、その結果フラップ６が開かれるとき電気的な信号がスイッチ要素１０によって遮断される。もちろん、反対に、常時閉接点もまたスイッチ要素１０として使用され得る。
【００２１】
図５では、スイッチ要素１０が第３の状態で示される。第３の状態では、側壁３はハウジング１から外されている。フラップ６は図５に示された状態において閉じられている。
【００２２】
図５に示された状態では、側壁はもはやロッカー１６に力を加えないので、スプリング１９はがロッカー１６を押し、したがってスイッチ要素１０のスイッチハウジング１７はハウジング壁１４から離れる。したがって、スイッチ要素１０のスイッチ接点１５はフラップ６が閉じられているにもかかわらず開き、第２の状態のように、スイッチ要素１０によって生成された制御信号を遮断する。
【００２３】
有利な改良では、スイッチ要素１０によって生成された制御信号は、ハウジング１を監視するための監視装置に送られる。これは、例えば前面２のＬＥＤの形態の、局部的な指示装置であり得、ハウジング１が適切に閉じられているかどうかを示す。
【００２４】
しかし、有利には、スイッチ要素１０からの信号は、コンピュータシステム１の遠隔監視のための装置に送られる。例えば、スイッチ要素１０のスイッチ出力は、サーバーコンピュータの、ベースボード管理コントローラ（ＢＭＣ）としても知られる、システム監視モジュールとして知られるものに接続され得る。システム監視モジュールはその結果、中央監視コンピュータからネットワークを介してコンピュータシステムの遠隔監視を可能にするので、例えば、システム管理者は、誰かが、コンピュータシステムのドライブにアクセスする無許可の試みをしているかどうか又は許可なしにハウジング１を開けようとしているかどうかを、離れて検出することができる。
【００２５】
本発明は２つのハウジング開口を持つハウジングを有する特定の装置を参照して前述されているが、他のハウジング、特に２より多いハウジング開口を有するものへの使用にも、原理的には適している。この場合でさえ、全てのハウジング開口の開放状態を監視するように１つのスイッチ要素のみで間に合わせるために、それぞれの監視されるべきハウジング開口と共通のスイッチ要素との間の適切な機械的なカップリングが、機械的なＯＲスイッチを作り出すように、設けられるべきである。
【符号の説明】
【００２６】
１  ハウジング
２  前面
３  側壁
４  下方領域
５  上方領域
６  フラップ
７  ロック
８  ハンドル要素
９  閉鎖要素
１０  スイッチ要素
１１  （側壁の）スイッチ突起
１２  （フラップの）スイッチ突起
１３  開口
１４  ハウジング壁
１５  スイッチ接点
１６  ロッカー
１７  スイッチハウジング
１８  回転軸
１９  スプリング
【図１】
0005897591.tif 000002
【図２】
0005897591.tif 000003
【図３】
0005897591.tif 000004
【図４】
0005897591.tif 000005
【図５】
0005897591.tif 000006